(57)【要約】【課題】罠にかかっている動物の動きを制限した後、狩猟者の安全を図りながら、動物の体を拘束する作業をより確実に行うことが可能な狩猟用錠具を提供する。【解決手段】狩猟用錠具Ａ１は、複数の曲がった部材から成り、拡開及び狭閉が可能な錠部１１、２０と、錠部１１、２０を閉じる方向へ付勢するねじりコイルバネ１５０と、錠部１１、２０を拡開してセットした状態の維持及び解除が可能なトリガー具６と、錠部１１、２０を狭閉した状態の維持及び解除ができる係止具４と係止歯２２からなる構造と、錠部１１、２０に設けられ、錠部１１、２０の閉じる方向の先端側が尖って突出した突刺ピン１８、２８と、遠隔操作部材１００を装着するための装着孔１０２とを備える。【選択図】図１
2018000003.tif 000002
【特許請求の範囲】
【請求項１】
拡開及び狭閉が可能で狭閉方向に曲がった複数の部材からなる錠部と、
該錠部を狭閉方向へ付勢する付勢手段と、
前記錠部を拡開してセットした状態の維持及び解除が可能なトリガー手段と、
前記錠部を狭閉した状態の維持及び解除が可能な狭閉維持手段と、
前記錠部の前記部材に設けられ、同錠部の狭閉方向の先端側が尖鋭に突出しており、該尖鋭に突出した部分が相対向位置にある突刺部材と、
遠隔操作部材を装着するための装着部とを備える
狩猟用錠具。
【請求項２】
前記錠部及び前記突刺部材が導体で形成されており、同突刺部材に通電できるようにするための電線接続部を備える
請求項１の狩猟用錠具。
【請求項３】
前記突刺部材が、前記尖鋭に突出した部分の突出長を調節できるように進退調節可能である
請求項１または２の狩猟用錠具。
【請求項４】
前記トリガー手段が、前記錠部の拡開時に生じる開放部の近傍に配置されている
請求項１、２または３の狩猟用錠具。
【請求項５】
前記錠部の引っ張り操作を行うための索縄部材を備える
請求項１、２、３または４の狩猟用錠具。
【請求項６】
前記錠部の部材が固定側錠部材と可動側錠部材であり、該可動側錠部材に、該部材を付勢力に抗して拡開するための加力部材を着脱可能に係止または接続する手段を有している
請求項１、２、３、４または５の狩猟用錠具。
【請求項７】
第１の遠隔操作部材に取り付けられ、導体でつくられた拡開及び狭閉が可能で狭閉方向に曲がった複数の部材からなる錠部と、該錠部を狭閉方向へ付勢する付勢手段と、前記錠部を拡開してセットした状態の維持及び解除が可能なトリガー手段と、前記錠部を閉じた状態の維持及び解除が可能な狭閉維持手段と、前記錠部の前記部材に設けられ、同錠部の閉じる方向の先端側が尖鋭に突出しており、該尖鋭に突出した部分が相対向位置にある導体でつくられた突刺部材とを備える一方側の電極となる狩猟用錠具と、
第２の遠隔操作部材に取り付けられ、他方側の電極となる電極体と、
前記狩猟用錠具及び前記電極体に、処分対象である動物を含んで閉回路となるように所要容量の電力を供給するための電力供給部とを備える
電気殺処分装置。
【発明の詳細な説明】
【技術分野】
【０００１】
本発明は、狩猟用錠具及びそれを使用した電気殺処分装置に関するものである。詳しくは、罠にかかった動物の動きを制限して、狩猟者の安全を図りながら、動物を確実に捕獲、または殺処分するための狩猟用錠具及びそれを使用した電気殺処分装置に関する。
【背景技術】
【０００２】
イノシシなどの動物を捕獲するためには、例えば足括り罠が使用されている。一般的な足括り罠は、踏板と連動するトリガー具によって罠を作動させ、バネの弾発力で拡開するアームでワイヤーの輪を引き絞り、踏板を踏み抜いた動物の足を括るものである。罠にかかった動物はワイヤーで立木などに繋れた状態になるが、致命傷は受けていないので十分に余力があり、狩猟者が近付くことは大変危険である。
【０００３】
また、猟区には銃猟禁止地域があり、動物に致命傷を与えるためにむやみに発砲することはできない。しかし、ハンマーで叩いたりして中途半端に傷を負わせると大暴れして手負いとなる可能性があり、かえって危険である。そこで、多くの場合で、ワイヤーに繋れた動物を、更に足錠具で動物の足を掴んでワイヤで他の立木に繋ぎ、その動きを制限して、動けなくなったところでナイフ等を使用し動物に致命傷を与える方法が採られている。
【０００４】
このような足錠具として、本発明者は、特許文献１の「狩猟用足錠具」を提案している。この狩猟用足錠具は、円弧状の錠部を有する固定側錠部材と、錠部の基部寄りに回動可能に取り付けてある円弧状の可動側錠部材と、固定側錠部材と可動側錠部材の間に掛けてあり可動側錠部材を閉じる方向に付勢する引っ張りバネと、錠部に設けられ可動側錠部材を拡開状態で係止できるトリガー具を備える。
【０００５】
可動側錠部材の基部には係止方向へ付勢され進退可能な係止具の係止爪と戻り方向で噛み合う係止歯が設けてある。狩猟用足錠具は、罠にかかり捕獲ワイヤーに繋れているイノシシなどの動物の動きを制限した後、足を拘束して倒す作業を狩猟者の安全を図りながら確実に行うことができる、というものである。
【０００６】
一方、各種罠で捕獲した動物は、多くの場合、上記のようにナイフなどで致命傷を与えて殺処分されている。しかし、近年では、狩猟者にとってより安全な方法として、捕獲した動物に電気を流して気絶または感電死させる方法が推奨されている。この電気による処分は、動物を気絶または感電死させる処理を一瞬で行うことができる点で実用的かつ有用な方法であるといえる。
【先行技術文献】
【特許文献】
【０００７】
【特許文献１】特開２００１−１３６８９２号公報
【発明の概要】
【発明が解決しようとする課題】
【０００８】
上記した従来の狩猟用足錠具は、上記使用においては充分に有用である。しかしながら、実際の使用に伴い、次のような課題があることもわかってきた。すなわち、上記構造では、足錠具を捕獲獣の足に掛ける際に、引っ張りバネの力を利用し両錠部材で足を閉じ込むようにする。
【０００９】
そして、両錠部材が閉じた状態を維持する狭閉維持手段を足錠具が備えているとはいっても、単に両錠部材の円弧部分で足を挟んでいるために、動物があばれたときに、挟んでいる位置がずれてしまったり、足から外れてしまったりすることは充分に考えられる。しかも、その際に動物が特に痛みを感じることもないため、動物があばれることを抑制しにくく、拘束に失敗する可能性もないとはいえない。
【００１０】
また、狩猟用足錠具が、動物の足に取り付けられる点を考慮し、動物を電気で処分する際の電極として利用することが考えられる。しかしながら、イノシシなどの動物の体は硬い毛に覆われている部分が多いため、足錠具を皮膚に直接触れさせることが困難であり、足錠具を介して動物の体に電気を流すことは簡単にはできない。
【００１１】
本発明は、以上の点を鑑みて創案されたものであり、罠にかかっているイノシシなどの動物の動きを制限した後、狩猟者の安全を図りながら、動物の体を拘束する作業をより確実に行うことが可能な狩猟用錠具を提供することを目的とする。
また、上記目的に加えて、動物を電気で処分する際に狩猟用錠具を電極として利用する場合、動物の体が硬い毛で覆われていても、動物の体に確実に電気を流すことができる狩猟用錠具及びそれを使用した電気殺処分装置を提供することを目的とする。
【課題を解決するための手段】
【００１２】
（１）上記の目的を達成するために、本発明の狩猟用錠具は、拡開及び狭閉が可能で狭閉方向に曲がった複数の部材からなる錠部と、該錠部を狭閉方向へ付勢する付勢手段と、前記錠部を拡開してセットした状態の維持及び解除が可能なトリガー手段と、前記錠部を狭閉した状態の維持及び解除が可能な狭閉維持手段と、前記錠部の前記部材に設けられ、同錠部の狭閉方向の先端側が尖鋭に突出しており、該尖鋭に突出した部分が相対向位置にある突刺部材と、遠隔操作部材を装着するための装着部とを備える。
【００１３】
本発明の狩猟用錠具は、罠にかかった動物の足や鼻先等に、錠部を遠隔操作手段により操作して装着することができる。具体的には、まず、錠部に遠隔操作部材を装着し、錠部を拡開状態にしてセットし、錠部を罠の捕獲ワイヤーにつながれ引掛具などで動きが制限されている動物の足等に装着し、トリガー手段を作動させることにより、錠部を狭閉状態として足や鼻先等に噛み込ませて動物に取り付ける。なお、錠部の各部材に設けてある突刺部材は、尖鋭な部分が相対向する位置にあり、噛み込んだ時にも尖鋭な部分の位置が合っているので、動物の体に強固に噛み込むことができる。
【００１４】
このとき、狭閉維持手段によって足錠部の狭閉状態が維持されるので、動物の体から容易には外れることがない。そして、索縄部材を操作して動物を倒した後、錠具を動物の体から取り外すときには、狭閉維持手段による狭閉状態の維持を解除する。このように、罠にかかり捕獲ワイヤーにつながれているイノシシなどの動物の動きを制限した後、足や鼻先を拘束して動物を倒す作業を、狩猟者の安全を図りながら、確実に行うことができる。
【００１５】
なお、トリガー手段が作動すると、錠部が狭閉状態となり、動物の足や鼻先等に噛み込むように挟むことができる。このとき、錠部の各部材に設けられている突刺部材が動物の皮膚に突き刺さるので、体表に硬い毛があってもそれがあまり邪魔にならず、狩猟用錠具を介して動物に電気を流すことが可能になる。
【００１６】
また、突刺部材が足や鼻先等に突き刺さった状態では、動けば動くほど傷みが増すので、動物が暴れることを効果的に抑制することができる。更に、狭閉維持手段の作用により、錠部の狭閉状態が維持され、動物が暴れることができないことも相まって狩猟用錠具は動物の体から容易には外れない。
【００１７】
（２）本発明は、前記錠部及び前記突刺部材が導体で形成されており、同突刺部材に通電できるようにするための電線接続部を備える構成としてもよい。
【００１８】
この場合、電線接続部を介し電力供給部から導出された電線を錠部に接続し、電力供給部から錠部に電力を供給することにより、突刺部材を通して動物に電気を通すことができ、電気による動物の殺処分が可能になる。
【００１９】
（３）本発明は、前記突刺部材が、前記尖鋭に突出した部分の突出長を調節できるように進退調節可能である構成としてもよい。
【００２０】
この場合、錠部が閉じて動物の足や鼻先等を噛み込んだときに、突刺部材が足や鼻先等に突き刺さる深さを調節することができる。突刺部材が足に突き刺さる深さを浅くすれば、動物に残る傷を小さくすることができ、突き刺さる深さをより深くすれば、突刺部材が足に刺さった状態で、動物が動けば動くほど傷みが増すので、動物が暴れることを効果的に抑制することができる。
【００２１】
（４）本発明は、前記トリガー手段が、前記錠部の拡開時に生じる開放部の近傍に配置されている構成としてもよい。
【００２２】
この場合、動物の足や鼻先等に錠部を装着したとき、足や鼻先がトリガー手段に当たりやすくなる。トリガー手段によるセット状態の維持が解除されると、錠部が閉じる方向へ作動し、錠部が狭閉される。すなわち、狩猟者が特にトリガー手段の操作をしなくても、作業手順の中で上記動作を行うことにより自動的に作動することとなるので、迅速かつ確実な作業ができる。
【００２３】
（５）本発明は、前記錠部の引っ張り操作を行うための索縄部材を備える構成としてもよい。
【００２４】
この場合、動物の体に狩猟用錠具の錠部を噛み込ませた後は、索縄部材を操作することにより、動物に様々な方向の力を加えることができるので、例えば動物を倒すような操作も可能になる。また、索縄部材を近くの立木などに括り付けて、動物の動きを制限することが可能になる。
【００２５】
（６）本発明は、前記錠部の部材が固定側錠部材と可動側錠部材であり、該可動側錠部材に、該部材を付勢力に抗して拡開するための加力部材を着脱可能に係止または接続する手段を有している構成とすることもできる。
【００２６】
この場合、加力部材を可動側錠部材に係止または接続して使用することで、可動側の部材の拡開操作を比較的容易、かつ安全に行うことができる。また、可動側の部材を拡開してトリガー手段をセットした後、加力部材を取り外せば、後の作動の邪魔にならず、支障が生じることはない。
【００２７】
（７）上記の目的を達成するために、本発明の電気殺処分装置は、第１の遠隔操作部材に取り付けられ、導体でつくられた拡開及び狭閉が可能で狭閉方向に曲がった複数の部材からなる錠部と、該錠部を狭閉方向へ付勢する付勢手段と、前記錠部を拡開してセットした状態の維持及び解除が可能なトリガー手段と、前記錠部を閉じた状態の維持及び解除が可能な狭閉維持手段と、前記錠部の前記部材に設けられ、同錠部の閉じる方向の先端側が尖鋭に突出しており、該尖鋭に突出した部分が相対向位置にある導体でつくられた突刺部材とを備える一方側の電極となる狩猟用錠具と、第２の遠隔操作部材に取り付けられ、他方側の電極となる電極体と、前記狩猟用錠具及び前記電極体に、処分対象である動物を含んで閉回路となるように所要容量の電力を供給するための電力供給部とを備える。
【００２８】
本発明の電気殺処分装置は、次のように作用する。まず、罠に掛かって動きが制限されている動物に近付き、電気殺処分装置の一方側の遠隔操作部材を操作して、先端の電極体を動物の鼻先に括られているワイヤーに接触させる。次に、前とは反対側の遠隔操作部材を操作して、狩猟用錠具の錠部の開放部から動物の足や鼻先等に嵌め込むようにしてそのまま押し込む。
【００２９】
これによりトリガー手段に動物の体が当たり、トリガー手段は掛止状態が外れて錠部が閉じる方向に作動する。これにより、錠部が動物の体に噛み込み、突刺部材を通じて通電ができるようになる。そして、狩猟者がスイッチなどを操作して電力供給部から電気を供給すると、閉回路の経路中にいる動物に電気が流れ、動物は感電して気絶するか、感電死する。なお、狩猟用錠具を動物の体から取り外すときには、通電の停止後、狭閉維持手段による狭閉維持状態を解除し、錠部を拡開する。
【００３０】
なお、特許請求の範囲及び明細書において、「固定側錠部材」と「可動側錠部材」の各用語は、それぞれを区別するために、便宜上、接頭語の「固定側」と「可動側」を使用しているが、固定側錠部材は遠隔操作部材が接続される基体を基準として固定されているのであり、構造的には固定側錠部材も可動側錠部材と同じ条件で作動するものであって、固定側錠部材は動かず、可動側錠部材だけが動くという構造を意味するものではない。
【００３１】
特許請求の範囲及び明細書にいう「トリガー手段」は、例えば、錠具を動物の足に装着すると自動的に作動するもの、あるいは操作紐などを引っ張ることにより作動するものなどであり、特にその構造を限定するものではない。
【００３２】
同じく「狭閉維持手段」は、錠部がいったん狭閉状態となった後、その戻り（狭閉状態の緩み）を防止できるものであれば、その構造は特に限定しない。例えば、爪車の係止歯に爪を係止する構造（いわゆるラチェット構造）、ゴムや表面の粗い材料などを使用して摩擦で止める構造（いわゆるブレーキ構造）などである。
【００３３】
同じく「遠隔操作手段」は、例えば、竹や木などの自然素材の他、合成樹脂や金属など所要の剛性を有する棒体、伸縮調整が可能な棒状部材、棒状部材と索縄部材を組み合わせたもの、あるいはこれらを取り付けるための構造を含むものであるが、これらに限定するものではない。
【００３４】
同じく「装着手段」は、遠隔操作部材が装着できるものであればその構造は特に限定はしない。例えば、管体、吊下具、あるいは挟持具等である。同じく「索縄部材」としては、例えば鋼線ワイヤーが使用されるが、これに限定せず、高張力を有する合成樹脂製のロープ等、他の索縄部材を使用してもよい。
【発明の効果】
【００３５】
本発明は、罠にかかっているイノシシなどの動物の動きを制限した後、狩猟者の安全を図りながら、動物の足を拘束する作業をより確実に行うことが可能な狩猟用錠具を提供することができる。
また、上記効果に加えて、動物を電気で処分する際に狩猟用錠具を電極として利用する場合、動物の体が硬い毛で覆われていても、動物の体に確実に電気を流すことができる狩猟用錠具及びそれを使用した電気殺処分装置を提供することができる。
【図面の簡単な説明】
【００３６】
【図１】本発明に係る狩猟用錠具の第１実施の形態を示し、可動側錠部材を閉じた状態の斜視図説明である。
【図２】図１に示す狩猟用錠具の正面視説明図である。
【図３】図１に示す狩猟用錠具の背面視説明図である。
【図４】図１に示す狩猟用錠具の平面視説明図である。
【図５】図１に示す狩猟用錠具の底面視説明図である。
【図６】図１に示す狩猟用錠具の右側面視説明図である。
【図７】図１に示す狩猟用錠具の左側面視説明図である。
【図８】狩猟用錠具の可動側錠部材を開いてセットした状態を示す斜視説明図である。
【図９】狩猟用錠具の可動側錠部材を開いてセットした状態を示し、（ａ）は可動側錠部材を開く際に使用する拡開補助具を装着した状態を示す正面視説明図、（ｂ）は拡開補助具の斜視図である。
【図１０】図９におけるＡ−Ａ断面図である。
【図１１】狩猟用錠具の使用状態を示す説明図である。
【図１２】狩猟用錠具を動物の上顎に噛ませる方法の一例を示す説明図である。
【図１３】狩猟用錠具を動物の上顎に噛ませる方法の他例を示すと共に、足括り罠で捕獲した動物を木につないで動きを制限した状態で動物を電気で処分する方法を示す説明図である。
【図１４】本発明に係る電気殺処分装置の一実施の形態を示す説明図である。
【図１５】本発明に係る狩猟用錠具の第２実施の形態を示す説明図である。
【発明を実施するための形態】
【００３７】
図１ないし図１０を参照して、本発明の実施の形態を更に詳細に説明する。
本発明の第１実施形態である狩猟用錠具Ａ１は、例えば足括り罠を使用した猟で、動物の捕獲のための補助具として使用されるものである。
狩猟用錠具Ａ１は、固定側錠部材１と可動側錠部材２を備えており、これらは導体であるステンレススチールで形成されている。なお、固定側錠部材１と可動側錠部材２は、必要な部分が導体であり、かつ強度が充分であれば、アルミニウムや合成樹脂などの他の材料（複数の材料の複合体を含む）で形成することもできる。
【００３８】
固定側錠部材１は、中空の基体１０を有している。基体１０には、後述する係止具４をスライド可能に収容する案内空間部１７が設けられている（図１０参照）。基体１０の側面側には、案内空間部１７に通じる長孔１０４が形成されている。基体１０の基端部には、案内空間部１７に通じる水抜き孔（図示省略）が設けてある。基体１０には、案内空間部１７と隣接し、かつ平行に、装着部である円形の装着孔１０２が貫通して設けられている。装着孔１０２には、狩猟用錠具Ａ１を遠隔操作できるように、竹竿などの遠隔操作部材１０９が接続される。
【００３９】
基体１０には、板状で内側（後述する錠部２０側）へ湾曲した円弧状の錠部１１が形成されている。錠部１１の先端部には、ネジピン１８を取り付けるためのピンブロック１４が固定されている。ピンブロック１４の幅方向（錠部１１の厚み方向と同方向）両側には、長手方向と平行なネジ孔１４０が貫通して並設されている。各ネジ孔１４０には、基端部にネジ頭を有し、それぞれ先端が尖った突刺部材であるネジピン１８（後述するネジピン２８も同様）が、先端側を内方へ向けて進退調節可能に螺合されている。
【００４０】
また、ネジピン１８は、ロックナット１８０により所要位置で緩め止めができるようにしてある。これにより、ネジピン１８は、先端の内方への突き出し量を所要の範囲で調節することができる。更に、ネジピン１８は、回して取り外すことができるので、先端部を研ぎ直すこともできるし、ネジピン１８を新しいものに交換することもできる。ネジピン１８の数は特に限定するものではなく、一本でもよいし三本以上でもよい。
【００４１】
錠部１１の基部寄りの正面側（図２で手前面側）には、所要長さで板状のトリガー具６が取り付けられている。トリガー具６は、トリガー手段を構成するもので、錠部１１、２０が拡開したときに形成される開放部（符号省略）の近傍、かつほぼ中央部（トリガー具６のセット時）に配置されている（図８参照）。
【００４２】
トリガー具６は、基端部の取付孔（図では見えない）に通された取着ネジ６０を介し、取着ネジ６０を中心として回動可能かつ錠部１１表面と離れる方向へも所定の範囲内で動くことができるようにして取り付けられている。すなわち、本実施の形態におけるトリガー具６の取り付け構造は、トリガー具６に設けられている取付孔の内径を取着ネジ６０の直径よりやや大きくし、更に取着ネジ６０を最後まで締め付けないようにした、いわゆる遊着をした構造である。
【００４３】
また、トリガー具６の中間部分の背面側には、係止突起６１が設けられている（図９（ａ）、図１０参照）。係止突起６１は、後述する錠部２０の係止凹部２３に係止され、これにより、可動側錠部材２を開いた状態でセットするものである。トリガー具６の先端部には取着孔６２が設けてあり、取着孔６２には遠隔操作用の操作紐６３（図１１に図示）をつなぐことができる。
【００４４】
錠部１１の背面側（図３で手前面側）には、ねじりコイルバネ１５０を取り付ける芯となる断面円形状の芯体１５が設けられている。また、錠部１１の基部寄りに設けてある取着孔１６には、索縄部材であるワイヤー１０３がつながれている。基体１０において、ワイヤー１０３の取り付け側とは反対側の側面には、電線接続部である取着金具８７（錠部１１と導通可能である）を介し、後述するように電線８２を接続することができる。
【００４５】
そして、錠部１１の基部寄りには、可動側錠部材２の基部が軸ネジ３を介し、回動可能に取り付けられている。なお、上記芯体１５は、中心部にネジ孔１５１を有し、ネジ孔１５１には締め付け量を制限（一定以上は締まらないようにする等）することにより軸ネジ３がねじ込まれて固定されている。この固定状態で、上記錠部１１と可動側錠部材２の間には若干の緩みがあり、可動側錠部材２は錠部１１に対し、スムーズに回動できるように調節されている。
【００４６】
可動側錠部材２の錠部２０は、上記錠部１１と同様に板状で、先部側を内方へ円弧状に湾曲させてある。錠部２０の先端部には、ネジピン２８を取り付けるためのピンブロック２４が固定されている。ピンブロック２４の幅方向（錠部１１の厚み方向と同方向）両側には、長手方向と平行なネジ孔２４０が貫通して並設されている。各ネジ孔２４０には、基端部にネジ頭を有し、それぞれ先端が尖ったネジピン２８が、先端側を内方へ向けて進退調節可能に螺合されている。
【００４７】
また、各ネジピン２８は、ロックナット２８０により所要の進退位置で緩み止め、あるいは固定ができるようにしてある。これにより、ネジピン２８は、尖った先端の内方への突き出し量を所要の範囲で調節することができる。更に、各ネジピン２８は、回して取り外すことができるので、先端部を研ぎ直すこともできるし、ネジピン２８自体を新しいものに交換することもできる。
【００４８】
なお、可動側錠部材２の長さは、上記固定側錠部材１とほぼ同じである。これにより、上記錠部１１と錠部２０を閉じると、図２に示すように、一部が開放された、円環のほぼ２／３程度の円弧状となる。また、錠部２０及び上記錠部１１の基部寄りの背面側には、バネ掛け部２００、１２０が固定されている。バネ掛け部２００、１２０には、芯体１５に装着された付勢手段であるねじりコイルバネ１５０の両腕部（符号省略）の先端部が掛けられている（図３参照）。
【００４９】
錠部２０の先端寄りには、表裏面を貫通した掛止孔２０１が形成されている。掛止孔２０１は、後で説明するように、梃子を利用した加力部材である拡開操作補助具２５の掛止片２５０を入れる孔である。
ここで、拡開操作補助具２５の構造を説明する。拡開操作補助具２５は、可動側錠部材２の拡開操作を容易にするための道具であり、充分な剛性を有する金属製の細い板を先端寄りで約３０°で折り曲げ、折り曲げた部分の先端に掛止片２５０を形成するように切欠部２５１を形成した構造である。
【００５０】
また、拡開操作補助具２５は、使用時には、掛止片２５０を錠部２０の掛止孔２０１に入れ、掛止片２５０から遠い側の切欠部２５１の縁を錠部２０の外縁部に当てて可動側錠部材２を拡開する（図９（ａ）参照）。なお、加力部材及びそれに対応する錠部２０側の構成は、拡開操作補助具２５の構造に限定するものではなく、特に例は挙げないが、簡単かつ安全に拡開操作ができるものであれば、公知の各種手段を採用することができる。
【００５１】
また、錠部２０の基部は、円弧状に形成されており、その一部の縁部には、円弧状に並んだ係止歯２２が設けてある。また、上記のように基体１０の内部に設けられている案内空間部１７には、係止具４が図１０で上下方向へ一定の範囲で進退可能に収容されている。係止具４は、先端部に係止歯２２と噛み合う係止爪４０を有している（図８、図１０等参照）。
【００５２】
係止具４は、コイルバネ４２で係止歯２２側へ付勢されている。なお、係止具４には、外部側から長孔１０４をネジ部が貫通するように固定ネジ４１が螺合してあり、必要に応じて固定ネジ４１を緩めて係止具４を進退させ、固定ネジ４１を締め付けて掛止具４を案内空間部１７の所要の位置に固定できるようにしている。
【００５３】
なお、係止歯２２は、可動側錠部材２の回動方向において一方の歯面の角度が緩やかに形成されている。つまり、係止歯２２が係止爪４０と噛み合った状態においては、可動側錠部材２は閉じる方向へは動くが、拡開する方向へは動かないラチェット構造となっている。これにより、可動側錠部材２は、一旦閉じたら係止具４を後退させない限り開かない。
【００５４】
また、錠部２０の基部の外周部において、係止歯２２と周方向へ少しずれた位置には、上記トリガー具６の係止突起６１を係止するための係止凹部２３が形成されている。係止凹部２３は、係止突起６１との掛かりを浅くするため底部を傾斜させて設けてあり、狩猟用錠具Ａ１を動物の足等に掛けたとき、トリガー具６が足等に当たって係止突起６１の係止が簡単に外れて、固定側錠部材１と可動側錠部材２が閉じ方向に作動するようになっている。
【００５５】
（作用）
主に図１１、図１２及び図１３を参照して、狩猟用錠具Ａ１の使用方法と作用を説明する。
図１１において、動物９（イノシシ）は、罠の捕獲ワイヤーＷにより片方の前足が括られて立木９０に繋がれている。
【００５６】
まず、狩猟用錠具Ａ１の基体１０の装着孔１０２に遠隔操作部材１０９を差し込んで装着する。次に、固定ネジ４１を緩めて係止具４をコイルバネ４２の付勢力に抗し退動するようにずらして、係止爪４０と係止歯２２の噛み合いを解除し、固定ネジ４１を締めて係止具４を固定しておく。狩猟用錠具Ａ１の取着孔１６には、上記したようにワイヤー１０３がつながれ、ワイヤー１０３には、更にナイロンロープ１０３ａがつながれている。また、トリガー具６の取着孔６２には、遠隔操作用の操作紐６３をつなぐ。
【００５７】
次に、拡開操作補助具２５を使用し、可動側錠部材２をねじりコイルバネ１５０の付勢力に抗して拡開し（図８、図９参照）、トリガー具６の係止突起６１を錠部２０の係止凹部２３に係止する。更に、固定ネジ４１を緩めて係止具４を先端方向へ付勢し、係止歯２２が設けられている領域と合ったときに噛み合うことができるようにしてセット状態とする。
【００５８】
狩猟者Ｍは捕獲ワイヤーＷによりつながれている動物９に近付き、遠隔操作部材１０９を操作して、狩猟用錠具Ａ１を動物９の口元でちらつかせると、動物９は習性により口で咥えようとする。このときに、動物９の鼻先が狩猟用錠具Ａ１のトリガー具６に触れて、トリガー具６の係止突起６１の係止凹部２３への係止が外れ、固定側錠部材１と可動側錠部材２が瞬間的に閉じ方向に作動する。なお、動物９が上記誘いに対する反応が薄く、うまくいかないときは、タイミングを見計らい、操作紐６３を引いて、狩猟用錠具Ａ１を作動させてもよい。
【００５９】
これにより、固定側錠部材１と可動側錠部材２の各ネジピン１８、２８が、動物９の上顎の鼻先を挟んで噛み込む（図１２参照）。このとき、ネジピン１８、２８の先端が皮膚に突き刺さるので、体表に硬い毛があってもそれがあまり邪魔にならず、狩猟用錠具Ａ１を介して動物９に電気を流すことが可能になる。また、固定側錠部材１と可動側錠部材２が有するネジピン１８、２８は、尖鋭な部分が相対向する位置にあり、噛み込んだ時にも尖鋭な部分の位置が合っているので、動物の体に強固に噛み込むことができる。なお、動物９の足や鼻先等を挟む固定側錠部材１と可動側錠部材２のそれぞれにはネジピン１８、２８が、互いの尖鋭部が相対向する位置に設けられているので、ネジピン１８、２８が動物の体に噛み込んだ時、動物の体から外れないようにする機能は極めて強い。
【００６０】
なお、ネジピン１８、２８が刺さった状態では、動けば動くほど傷みが増すので、動物９が暴れることを効果的に抑制することができる。更に、係止爪４０と係止歯２２は固定側錠部材１と可動側錠部材２が開かないように噛み合っているので、その作用により、固定側錠部材１と可動側錠部材２の閉じた状態が維持され、動物９が暴れることができないことも相まって狩猟用錠具Ａ１は動物９を噛んだ部分から容易には外れない。
【００６１】
この状態で、ナイロンロープ１０３ａを立木９１に適度な張力を以てつなぎ、狩猟者Ｍにとって危険が少ないように、動物９の動きを制限している。なお、図１３においては、狩猟用錠具Ａ１による噛み込みの他例として、狩猟用錠具Ａ１が動物９の鼻筋を噛み込んでいるところを表している。
【００６２】
そして、捕獲している動物９を電気で殺処分するために、電気殺処分装置８ａを使用する。電気殺処分装置８ａは、後述する電気殺処分装置８において狩猟用錠具Ａ１が電極体８９に変わるだけで、他の構成は電気殺処分装置８と同様であるので、ここでは説明を省略する。
【００６３】
狩猟者Ｍは、動きが制限されている動物９に近付き、電気殺処分装置８ａの遠隔操作部材１０１を操作して、先端の電極体８４を動物９の鼻先側のワイヤー１０３に接触させておく。次に、遠隔操作部材１００を操作して、その先端部の電極体８４を動物９の足側のワイヤーＷに接触させる。
【００６４】
そして、狩猟者Ｍが各スイッチ８５、８６を同時に入れると、閉回路中にいる動物９に電気が流れ、動物９は感電して気絶するか、感電死する。電気殺処分装置８ａにおいては、通電する電流の大きさを適宜調整することが可能で、この調整と通電時間の調整により、動物を気絶させるか、あるいは感電死させるかの選択は可能である。
【００６５】
なお、狩猟用錠具Ａ１を動物９の体から取り外すときには、通電の停止後、係止具４をずらして係止爪４０と係止歯２２の噛み合いを解除し、可動側錠部材２を拡開すればよい。このように、狩猟用錠具Ａ１を使用することにより、罠にかかり捕獲ワイヤーに繋れているイノシシなどの動物の動きを制限した後、電気で処分する作業を、狩猟者Ｍの安全を図りながら、容易かつ確実に行うことができる。
【００６６】
ここで、図１４を参照して、狩猟用錠具Ａ１を使用した本発明に係る電気殺処分装置８の構造を説明する。
電気殺処分装置８は、ＤＣ１２Ｖのバッテリー８０を有している。バッテリー８０は、直流電力を交流電力に逆変換するインバーター８１に接続されている。インバーター８１の各極には、電線８２、８３がそれぞれ接続されており、一方の電線８２は遠隔操作部材１００の先端に固定されている狩猟用錠具Ａ１に接続され、他方の電線８３は遠隔操作部材１０１の先端に固定されている電極体８４に接続されている。
【００６７】
また、遠隔操作部材１００の狩猟者Ｍの手元側には、電線８２の経路中にＯＮ／ＯＦＦを行うスイッチ８５が取り付けられており、遠隔操作部材１０１の手元側にも、電線８３の経路中に同様のスイッチ８６が取り付けられている。狩猟者Ｍは、一方の手（図１４では右手）で遠隔操作部材１００を持ち、他方の手（左手）で遠隔操作部材１０１を持って、所定の操作を行うことにより動物９（図１４ではシカ）の殺処分作業を行うことができる。なお、エンジン発電機などの交流電源がある場合は、発電機から直接電力を得ることもできる。
【００６８】
（作用）
主に図１４を参照して、狩猟用錠具Ａ１を備えた電気殺処分装置８の使用方法及び作用を説明する。
図１４において、動物９（シカ）は、罠の捕獲ワイヤーＷにより片方の前足が括られ、更に括り縄７によって鼻先が括られて、それぞれが立木９０、９１に繋がれており、狩猟者Ｍにとって危険が少ないように、動物９の動きは制限されている。
【００６９】
捕獲している動物９を電気で殺処分するために、まず、狩猟用錠具Ａ１の基体１０の装着孔１０２に遠隔操作部材１００を差し込んで装着する。なお、電気殺処分装置８の使用においては、ワイヤー１０３は特につながなくてもよい。次に、固定ネジ４１を緩めて係止具４をコイルバネ４２の付勢力に抗し退動するようにずらして、係止爪４０と係止歯２２の噛み合いを解除し、固定ネジ４１を締めて係止具４を固定しておく。
【００７０】
この状態で、拡開操作補助具２５を使用し、可動側錠部材２をねじりコイルバネ１５０の付勢力に抗して拡開し（図８、図９参照）、トリガー具６の係止突起６１を錠部２０の係止凹部２３に係止する。更に、固定ネジ４１を緩めて係止具４を先端方向へ付勢し、係止歯２２が設けられている領域と合ったときに噛み合うことができるようにしてセット状態とする。
【００７１】
そして、動きが制限されている動物９に近付き、電気殺処分装置８の遠隔操作部材１０１を操作して、先端の電極体８４を括り縄７のワイヤー７０に接触させておく。括り縄７は、動物の鼻先を括るワイヤー７０と、立木９１につなぐためのナイロンロープ７１からなり、括り縄７に適度な張力を持たせることにより、動物９の動きを制限している。
【００７２】
次に、遠隔操作部材１００を操作して、狩猟用錠具Ａ１の固定側錠部材１と可動側錠部材２を開放部から動物９の前足や後ろ足、あるいは耳や胴部など、当てやすい部分に当てるようにして、そのまま押し込む。これによりトリガー具６が動物９の上記何れかの部分に当たり、トリガー具６は押されて、係止突起６１が係止凹部２３の底面に案内されるようにしてせり上がり、係止凹部２３から外れる。このように狩猟者Ｍが特にトリガー具６の操作をしなくても、作業手順の中で自動的に作動させることができるので、迅速かつ確実な作業ができる。
【００７３】
トリガー具６の係合が外れると、ねじりコイルバネ１５０の付勢力によって固定側錠部材１と可動側錠部材２が瞬時に閉じた状態となり、動物９の上記部分を挟んで噛み込む。このとき、ネジピン１８、２８の先端が皮膚に突き刺さるので、体表に硬い毛があってもそれがあまり邪魔にならず、狩猟用錠具Ａ１を介して動物９に電気を流すことが可能になる。
【００７４】
また、ネジピン１８、２８が刺さった状態では、動けば動くほど傷みが増すので、動物９が暴れることを効果的に抑制することができる。更に、係止爪４０と係止歯２２は固定側錠部材１と可動側錠部材２が開かないように噛み合っているので、その作用により、固定側錠部材１と可動側錠部材２の閉じた状態が維持され、動物９が暴れることができないことも相まって狩猟用錠具Ａ１は動物９を噛んだ部分から容易には外れない。
【００７５】
そして、狩猟者Ｍが各スイッチ８５、８６を同時に入れると、閉回路中にいる動物９に電気が流れ、動物９は感電して気絶するか、感電死する。電気殺処分装置８においては、通電する電流の大きさを適宜調整することが可能で、この調整と通電時間の調整により、動物を気絶させるか、あるいは感電死させるかの選択は可能である。
【００７６】
なお、狩猟用錠具Ａ１を動物９の体から取り外すときには、通電の停止後、係止具４をずらして係止爪４０と係止歯２２の噛み合いを解除し、可動側錠部材２を拡開すればよい。このように、狩猟用錠具Ａ１を使用することにより、罠にかかり捕獲ワイヤーに繋れているイノシシなどの動物の動きを制限した後、電気で処分する作業を、狩猟者Ｍの安全を図りながら、容易かつ確実に行うことができる。
【００７７】
図１５を参照して、本発明に係る第２実施の形態である狩猟用錠具Ａ２の構造を説明する。
狩猟用錠具Ａ２は、固定側錠部材１ａと可動側錠部材２ａ
が錠部アタッチメント１９、２９を着脱できる構造である以外は、上記狩猟用錠具Ａ１と同様の構造であるので、以下の説明では、共通する部分については狩猟用錠具Ａ１の説明を援用し、重複するような説明は省略する。また、図１５において上記狩猟用錠具Ａ１の各部と同じ箇所には同じ符号を付して示す。
【００７８】
狩猟用錠具Ａ２の固定側錠部材１ａは、上記錠部１１の基部側と同様に湾曲した錠部１１ａを有している。錠部１１ａは、錠部１１より短く形成され、その先端部には、係合段部１１０が幅方向に設けてある。係合段部１１０には、二箇所にネジ孔１１１が貫通して形成されている。そして、錠部１１ａの先端部には、錠部アタッチメント１９が、着脱可能に固定されている。
【００７９】
錠部アタッチメント１９は、内方へ円弧状に湾曲させてあり、所要長さを有している。錠部アタッチメント１９の長さは、本実施の形態では、錠部１１ａに固定した状態で、上記錠部１１より長くなるように設定されている。錠部アタッチメント１９の基部には、上記係合段部１１０と係合する係合段部１１２が幅方向に設けてある。係合段部１１２には、二箇所に通し孔１１３が貫通して形成されている。また、錠部アタッチメント１９の先端部には、上記錠部１１の先端部のネジピン１８と同様の構造を以て、ネジピン１８ａが取り付けられている。
【００８０】
そして、錠部アタッチメント１９は、各係合段部１１０、１１２を合わせ、各ネジ孔１１１と各通し孔１１３を合わせて、通し孔１１３側から固定用ネジ１１４を差し入れてネジ孔１１１にネジ込んで締め付けることにより錠部１１ａに固定され、これにより錠部１１ａと錠部アタッチメント１９は一体化される。なお、錠部アタッチメント１９、２９は、例えば湾曲の度合い（曲率）や長さを変えたものが複数種類用意される。
【００８１】
可動側錠部材２ａの錠部２０ａと錠部アタッチメント２９は、詳細な説明は省略するが、上記固定側錠部材１ａの錠部１１ａと錠部アタッチメント１９と同様の構造を以て、固定用ネジ２１４で一体化されている。また、錠部アタッチメント２９の先端部には、上記錠部２０の先端部のネジピン２８と同様の構造を以て、ネジピン２８ａが取り付けられている。なお、錠部アタッチメント２９は、錠部アタッチメント１９と同じ長さに形成されている。
【００８２】
（作用）
狩猟用錠具Ａ２は、錠部アタッチメント１９、２９が錠部１１ａ、２０ａに着脱可能である点を除き、上記狩猟用錠具Ａ１とほぼ同様の構造を有しており、基本的な作用は狩猟用錠具Ａ１と同様であるので、共通する部分については説明を省略する。
狩猟用錠具Ａ２は、錠部アタッチメント１９、２９を、他に用意した長さや湾曲の度合いが異なる錠部アタッチメントに取り替えることにより、様々な動物に対応することが可能になる。
【００８３】
なお、各錠部アタッチメントの錠部への取付構造は、上記構造に限定するものではなく、内外方向へ所要の角度で回動調節可能な構造とすることもできる。この場合は、一種類の錠部アタッチメントで様々な動物に対応することができる。
【００８４】
本明細書及び特許請求の範囲で使用している用語と表現は、あくまでも説明上のものであって、なんら限定的なものではなく、本明細書及び特許請求の範囲に記述された特徴及びその一部と等価の用語や表現を除外する意図はない。また、本発明の技術思想の範囲内で、種々の変形態様が可能であるということは言うまでもない。
【符号の説明】
【００８５】
Ａ１  狩猟用錠具
１  固定側錠部材
１０  基体
１１  錠部
１２０  バネ掛け部
１４  ピンブロック
１４０  ネジ孔
１５  芯体
１５０  捻りコイルバネ
１５１  ネジ孔
１６  取着孔
１７  案内空間部
１８  ネジピン
１８０  ロックナット
１００、１０１  遠隔操作部材
１０２  装着孔
１０３  ワイヤー
１０３ａ  ナイロンロープ
１０４  長孔
１０９  遠隔操作部材
２  可動側錠部材
２０  錠部
２００  バネ掛け部
２０１  掛止孔
２１  差込部
２２  係止歯
２３  係止凹部
２４  ピンブロック
２４０  ネジ孔
２５  拡開操作補助具
２５０  掛止片
２５１  切欠部
２８  ネジピン
２８０  ロックナット
３  軸ネジ
４  係止具
４０  係止爪
４１  固定ネジ
４２  コイルバネ
６  トリガー具
６０  取着ネジ
６１  係止突起
６２  取着孔
６３  操作紐
７  括り縄
７０  ワイヤー
７１  ナイロンロープ
８  電気殺処分装置
８０  バッテリー
８１  インバーター
８２、８３  電線
８４  電極体
８５、８６  スイッチ
８７  取着金具
８ａ  電気殺処分装置
８９  電極体
Ｗ  捕獲ワイヤー
９  動物
Ｍ  狩猟者
Ａ２  狩猟用錠具
１１ａ、２０ａ  錠部
１１０、１１２  係合段部
１１１  ネジ孔
１１３  通し孔
１１４  固定用ネジ
２１４  固定用ネジ  
１９、２９  錠部アタッチメント
１８ａ、２８ａ  ネジピン
【図１】
2018000003.tif 000003
【図２】
2018000003.tif 000004
【図３】
2018000003.tif 000005
【図４】
2018000003.tif 000006
【図５】
2018000003.tif 000007
【図６】
2018000003.tif 000008
【図７】
2018000003.tif 000009
【図８】
2018000003.tif 000010
【図９】
2018000003.tif 000011
【図１０】
2018000003.tif 000012
【図１１】
2018000003.tif 000013
【図１２】
2018000003.tif 000014
【図１３】
2018000003.tif 000015
【図１４】
2018000003.tif 000016
【図１５】
2018000003.tif 000017
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
拡開及び狭閉が可能で狭閉方向に曲がった複数の部材からなる錠部と、
該錠部を狭閉方向へ付勢する付勢手段と、
前記錠部を拡開してセットした状態の維持及び解除が可能なトリガー手段と、
前記錠部を狭閉した状態の維持及び解除が可能な狭閉維持手段と、
前記錠部の前記部材に設けられ、同錠部の狭閉方向の先端側が尖鋭に突出しており、該尖鋭に突出した部分が相対向位置にある突刺部材と、
遠隔操作部材を装着するための装着部とを備え、
前記突刺部材が、前記尖鋭に突出した部分の突出長を調節できるように進退調節可能である
狩猟用錠具。
【請求項２】
前記錠部及び前記突刺部材が導体で形成されており、同突刺部材に通電できるようにするための電線接続部を備える
請求項１の狩猟用錠具。
【請求項３】
前記トリガー手段が、前記錠部の拡開時に生じる開放部の近傍に配置されている
請求項１または２の狩猟用錠具。
【請求項４】
前記錠部の引っ張り操作を行うための索縄部材を備える
請求項１、２または３の狩猟用錠具。
【請求項５】
前記錠部の部材が固定側錠部材と可動側錠部材であり、該可動側錠部材に、該部材を付勢力に抗して拡開するための加力部材を着脱可能に係止または接続する手段を有している
請求項１、２、３または４の狩猟用錠具。
【請求項６】
第１の遠隔操作部材に取り付けられ、導体でつくられた拡開及び狭閉が可能で狭閉方向に曲がった複数の部材からなる錠部と、該錠部を狭閉方向へ付勢する付勢手段と、前記錠部を拡開してセットした状態の維持及び解除が可能なトリガー手段と、前記錠部を閉じた状態の維持及び解除が可能な狭閉維持手段と、前記錠部の前記部材に設けられ、同錠部の閉じる方向の先端側が尖鋭に突出しており、該尖鋭に突出した部分が相対向位置にあると共に、前記尖鋭に突出した部分の突出長を調節できるように進退調節可能な、導体でつくられた突刺部材とを備える一方側の電極となる狩猟用錠具と、
第２の遠隔操作部材に取り付けられ、他方側の電極となる電極体と、
前記狩猟用錠具及び前記電極体に、処分対象である動物を含んで閉回路となるように所要容量の電力を供給するための電力供給部とを備える
電気殺処分装置。